(57)【要約】【課題】  容易に組み立てでき、地震にも強く、落下物の落下方向によらず、内部を保護することができる耐震構造体を提供する。【解決手段】複数の嵌合孔ｈ１１を有するボールジョイントＢ１１等と、両端にボールジョイントＢ１１等への嵌合ピンｐ１１を有する支柱Ｆ１１等とからなり、前記ボールジョイントＢ１１等と前記支柱Ｆ１１等とを接続することにより形成される三角形状のフレームを組み合わせてなる四角錐の骨組みを横に並べ、これら複数の四角錐の互いの角部を共通の接点Ｂ３１，Ｂ３２とするとともに、前記四角錐の頂点Ｂ４１とＢ４２とを連結した構造からなる。【選択図】  図１
2008095461.tif 000002
【特許請求の範囲】
【請求項１】
複数本の支柱と、支柱との接合手段を有するボールジョイントとを備え、これらボールジョイントと支柱を上記接合手段により接続することにより組み合わせられるとともに、その解除が可能な四角錐の骨組みを横方向に並べた構造であり、これら複数の四角錐の互いの角部を共通の接点とするとともに、前記四角錐の頂点を連結する構造であることを特徴とする耐震構造体。
【請求項２】
前記横に並べた四角錐の数は２組みであり、前記横に並べた四角錐の底面は、四角錐の共通の接点の２個のボールジョイントと、全体の四隅に配される４個のボールジョイントと、四角錐の共通のボールを有しない側面に配される２個のボールジョイントとからなり、これらと前記支柱を接続することにより三角形状のフレーム群が形成され、底面がすべて三角形状のフレームで構成されることを特徴とする請求項１記載の耐震構造体。
【請求項３】
前記横に並べた四角錐の数は２組みであり、前記２組の四角錐の共通のボールを有しない側面に配される２個のボールジョイントと、前記四角錐の頂点として２個のボールジョイントを前記支柱で接続することを特徴とする請求項２記載の耐震構造体。
【請求項４】
前記ボールジョイントと前記支柱との接合手段は、嵌合孔と嵌合ピンとの組み合わせ又は雌ねじと雄ねじとの組み合わせであることを特徴とする請求項１から３いずれか1項記載の耐震構造体。
【請求項５】
前記支柱は、伸縮手段としてばね又は継ぎ手が備わっており、伸縮自在となることを特徴とする請求項１から４いずれか１項記載の耐震構造体。
【請求項６】
前記ボールジョイントは、球形の硬質金属からなるとともに、前記支柱の径よりも大きなものであることを特徴とする請求項１から５のいずれか1項記載の耐震構造体。
【請求項７】
前記ボールジョイントの外側に、嵌め込み式パネルを設置するとともに、スライドレールを介してスライド式開閉戸を設置して、少なくとも底面以外を覆うように構成することを特徴とする請求項１から６のいずれか1項記載の耐震構造体。
【請求項８】
前記複数のボールジョイントに移動手段としての車輪を備えることを特徴とする請求項１から７のいずれか1項記載の耐震構造体。
【発明の詳細な説明】
【技術分野】
【０００１】
本発明は、ボールジョイントを接点（接合部）とする四角錐の骨組みを組み合わせてなる耐震構造体に関する。
【背景技術】
【０００２】
日本国は、地震、火山活動が活発な環太平洋変動帯に位置し、国土面積と比較して、地震の発生回数や活火山の分布数の割合はきわめて高いものとなっている。一方、旧耐震基準で作られた木造住宅は、設計の見直しにかかる人的資源や時間不足、資金不足などから、ほとんどの木造住宅が耐震強度の見直しがされないまま、放置されている。また、１９９５年１月１７日に発生した阪神・淡路大震災では、大半の被災者は、就寝中であり、震災による死亡原因の８０％以上が、建物、家具類の倒壊による圧死であったと報じられている。住宅の倒壊を免れたにもかかわらず、全体の約６割の部屋で家具が転倒し、部屋全体に散乱したというデータがある。
【０００３】
このように、従来の構造物の多くは耐震強度が十分ではなく、地震に伴い、倒壊する危険がある。ようやく最近になって、一部の家具類の倒壊防止のための補助金具が一般家屋に導入され始めてはいるが、貸家や賃貸マンション、テナント等では、引越しの際に補修費用がかさむため、家具類の倒壊防止等の補助金具の使用は手控えられている。なお、これまでに提案されている耐震シェルター類は、設備が大掛かりであり、かつ、高額であることから普及していない。
【０００４】
このように、例えば、就寝中に地震が発生した場合には、箪笥や棚等が倒れたり、物が落下したりするが、それらから就寝者自身の身を守ることができないため、就寝者が危険な状態となる。
【０００５】
従来、就寝用の耐震具としては、特許文献１のように、三角テント形で簡単に折りたたみ収納できる低コストの耐震具が開示されている。また、特許文献２のように、長さ方向の両端部の距離を可変とする折りたたみ可能な耐震具が開示されている。
【特許文献１】特開２００４−１６７９６号公報
【特許文献２】特開平９−４１７１０号公報
【発明の開示】
【発明が解決しようとする課題】
【０００６】
上記特許文献１記載の耐震具は、その各下辺には三角テント状になる幅の長さに調整した幌布等の開閉制御体を取り付けていることから、簡単に折りたたみ収納できる反面、横方向の外力が加わると耐震具が閉じてしまう欠点がある。また、上記特許文献２記載の耐震具は、長さ方向のフレームが蛇腹状に伸縮可能となっていることから、簡単に折りたたみ収納できる反面、長さ方向の外力が加わると耐震具が変形する欠点がある。このため、落下物の落下方向によっては、かえって就寝者に危険が及ぶ可能性があるという問題点を有する。  
【０００７】
上記引用文献のように、従来、容易に組み立てとその解除が出来る耐震具は、落下物の落下方向によっては、大きく変形することがあり、耐震具の内部を保護するには十分とはいえなかった。
【０００８】
そこで、本発明は、容易に組み立とその解除ができ、地震にも強く、落下物の落下方向によらず、あらゆる方向から加わる外力（せん断力、又は集中荷重、若しくは等分布荷重）に対して高い耐荷重性能を有して、構造物の内部を保護する耐震構造体を提供することを目的とする。
【課題を解決するための手段】
【０００９】
上述した目的を達成するため、本発明者等は、長年に亘り建築構造物等を研究し、全く新しい耐震構造体を実現するに至った。すなわち、本発明にかかる耐震構造体は、複数本の支柱と、支柱との接合手段を有するボールジョイントとを備え、これらボールジョイントと支柱を上記接合手段により接続することにより組み合わせられるとともに、その解除が可能な四角錐の骨組みを横方向に並べた構造であり、これら複数の四角錐の互いの角部を共通の接点とするとともに、前記四角錐の頂点を連結する構造であることを特徴とする。
【００１０】
部材を三角形状に組み合わせ作った構造体は、外力に対して高い抵抗力を持つ（トラス）。本発明によれば、地震により、物が落下する等の外力が加わっても、三角形状のフレームを組み合わせてなる四角錐の骨組みであることから、この構造物に加わった外力は、ボールジョイントを滑節とし、その外力を骨組み全体に分散させるので、この構造体全体で大きな荷重に耐えることができる。また、ボールジョイントと支柱の接続が接離可能に構成されているために、組み立てやその解除が容易である。
【００１１】
本発明としては、前記横に並べた四角錐の数は２組みであり、前記横に並べた四角錐の底面は、四角錐の共通の接点の２個のボールジョイントと、全体の四隅に配される４個のボールジョイントと、四角錐の共通のボールを有しない側面に配される２個のボールジョイントとからなり、これらと前記支柱を接続することにより三角形状のフレーム群が形成され、底面がすべて三角形状のフレームで構成されることが好ましい。
【００１２】
前記ボールジョイントと支柱を接続することにより形成される三角形状のフレームで構成されることにより、底面が三角形状のフレームにより構成されることとなり、底面にかかる外力に対して、その外力に対抗する荷重に耐えることができる。なお、上記四角錐の骨組みを２つ連結した状態で、上記接点（接合部）の数を１０とすることにより、最小の接点数でありながら、全ての面を三角形状のみでフレームを構成することができる。
【００１３】
本発明としては、前記横に並べた四角錐の数は２組みであり、２組の四角錐の共通のボールを有しない側面に配される２個のボールジョイントと、前記四角錐の頂点として２個のボールジョイントを前記支柱で接続することが好ましい。
【００１４】
本発明によれば、２組の四角錐の組み合わせに係る四角形状の底面の４辺の各々に３個ずつのボールジョイントが配されるが、前記２組の共通のボールを有しない側面に配される２個のボールジョイントと、前記四角錐の頂点として２個のボールジョイントを前記支柱で接続することにより、この構造体の側方、つまり外力を受ける横方向の外力に対しても強い構造になり、耐震強度が高い耐震構造体が得られる。
【００１５】
本発明としては、前記ボールジョイントと前記支柱との接合手段は、嵌合孔と嵌合ピンとの組み合わせ又は雌ねじと雄ねじとの組み合わせであることが好ましい。
【００１６】
前記ボールジョイントと前記支柱との接合手段は、嵌合孔と嵌合ピンとの組み合わせ又は雌ねじと雄ねじとの組み合わせとすることにより、前記ボールジョイントと前記支柱との接合が容易となり、必要に応じて耐震構造体の組み立ておよび分解ができる。
【００１７】
本発明としては、前記支柱には、伸縮手段としてばね又は継ぎ手が備わり、伸縮自在となる構成であることが好ましい。
【００１８】
前記支柱が、伸縮手段としてばね又は継ぎ手が備わり、伸縮自在となる構成であることにより、耐震構造体の全体の大きさを適宜調整することができる。また、例えば、前記支柱と前記ボールジョイントを接合する際に、例えば、前記支柱に備わるばねの伸縮を利用したり、前記支柱に備わる継ぎ手の接合深さを調整したりすることで、前記支柱の長さが固定である場合と比較して耐震構造体の組み立てが容易となる。
【００１９】
本発明としては、前記ボールジョイントは、球形の硬質金属からなるとともに、前記支柱の径よりも大きなものであることが好ましい。
【００２０】
前記ボールジョイントが、硬質金属からなることにより、ボールジョイント自体の変形を抑えて、外力を効率的に骨組み全体に分散させることができる。硬質金属の材質としては、例えば、鋼鉄やアルミニウム合金がある。また、前記ボールジョイントが、前記支柱の厚さよりも大きなものであることにより、嵌め込み式パネル等を外周に設置すると、嵌め込み式パネル等に落下物が当たっても、その衝撃は、ボールジョイントに伝達し、ボールジョイントが、その衝撃力を骨組み全体に分散させることができ、支柱に直接外力（せん断力、又は集中荷重、若しくは等分布荷重）が加わる心配がない。また、上記ボールジョイントの大きさにより、底面側では、脚部としての働きが生じて、支柱が床や地面に直接接触するようなことがない。
【００２１】
本発明としては、前記ボールジョイントの外側に、スライドレールを介してスライド式開閉戸と嵌め込み式パネルを設置に、少なくとも底面以外を覆うような構成が好ましい。スライド式開閉戸又は嵌め込み式パネルの材質としては、例えば、強化ガラスや強化プラスチックがある。また、ステンレス鋼板に採光用として複数のスリットが形成されたものでもよい。
【００２２】
前記ボールジョイントの外側にスライド式開閉戸と嵌め込み式パネルを設置することにより、地震や台風などにより、物が落下しても、スライド式開閉戸又は嵌め込み式パネルが落下物の衝撃を受け、耐震構造体の内部を保護する。すなわち、落下に伴う粉塵やガラス片や木材片等が内部に入り込むことを防止する。また、前記ボールジョイントの外側にスライド式開閉戸又は嵌め込み式パネルが設置され、スライド式開閉戸又は嵌め込み式パネルとボールジョイントは、支柱の径よりも大きなボールジョイントにより接触（点接触）していることから、スライド式開閉戸又は嵌め込み式パネルに加わった衝撃力は、ボールジョイントに伝達し、ボールジョイントが、その衝撃力を骨組み全体に分散させることができ、支柱に直接不要な外力（せん断力、又は集中荷重、若しくは等分布荷重）が加わる心配がない。
【００２３】
本発明としては、前記複数のボールジョイントに移動手段としての車輪を備える構成が好ましい。
【００２４】
前記複数のボールジョイントに移動手段としての車輪を備えることにより、組み立て後の耐震構造体を一人でも容易に移動させることができる。
【発明の効果】
【００２５】
本発明によれば、複数のボールジョイントと複数の支柱を接合手段により接続することにより組み立てと解除が可能な四角錐の骨組みを横方向に並べた構造であり、これら複数の四角錐の互いの角部を共通の接点とするとともに、前記四角錐の頂点を連結する構造であることにより、地震により、物が落下する等の外力が加わっても、外力に対して高い抵抗力を持ち、外力は、ボールジョイントを滑節とし、その外力を骨組み全体に分散させ、この構造体全体で大きな荷重に耐えることができる。特に、四角錐の下方の四隅の４個の間に各々４個配される構造によれば、底面を含めて全ての面が三角形のフレームとなり、どの方向から加わる外力であっても、高い耐荷重性能の構造物体を提供することが可能になる。また、前記ボールジョイントと前記支柱とは、ねじにより接合したり、外したりすることが容易で、組み立てや、持ち運びや収納の便宜が図られる。
【発明を実施するための最良の形態】
【００２６】
以下、本発明を適用した具体的な実施の形態について、図面を参照しながら詳細に説明する。
【００２７】
図１は、耐震構造体Ｓ１の斜視図である。図２は、図１の接合部の分解斜視図である。耐震構造体Ｓ１は、ボールジョイントＢ１１，Ｂ１２，Ｂ１３，Ｂ１４，Ｂ３１，Ｂ３２，Ｂ４１，Ｂ４２と、支柱Ｆ１１〜Ｆ２２等とからなり、ボールジョイントＢ１１〜Ｂ４２と前記支柱Ｆ１１〜Ｆ１４等を接続することにより四角錐Ａ１，Ａ２の骨組みを横に並べるとともに、四角錐Ａ１，Ａ２の頂点Ｂ４１，Ｂ４２を連結した構造からなる。本実施の形態では、ボールジョイントＢ１１〜Ｂ４２は、全部で１０個あり、支柱Ｆ１〜Ｆ１４等は、全部で２４個ある。
【００２８】
ボールジョイントＢ１１等は、支柱Ｆ１１〜Ｆ２２等を接続する接点になるものであり、ここではアルミニウム合金製の球形であり、複数の嵌合孔ｈを有する。本実施の形態では、前記横に並べた四角錐の数は２組みであり、四角錐Ａ１，Ａ２の頂点として２個のボールジョイントＢ４１，Ｂ４２と、底面側のボールジョイントＢ１１等の８個の接点で構成されている。８個のボールジョイントＢ１１等は、２組の四角錐Ａ１，Ａ２の共通の２個のボールＢ３１，Ｂ３２と、２組の四隅に配される４個のボールジョイントＢ１１，Ｂ１２，Ｂ１３，Ｂ１４と、上記２組の共通のボールジョイントを有しない側面に配される２個のボールジョイントＢ２１，Ｂ２２とからなる。
【００２９】
支柱Ｆ１１〜Ｆ２２等は、両端に嵌合ピンｐ１１を有して、ボールジョイントＢ１１等の嵌合孔ｈ１１に嵌合して組み立てられるものであり、ここではアルミニウム合金製の中空パイプで構成されているが、鋼鉄製等その他の材料で構成することも可能である。そして、支柱Ｆ１１〜Ｆ２２の直径よりも上記ボールジョイントＢ１１等の方が大きなものが使用されている。すなわち、ボールジョイントＢ１１等と支柱Ｆ１１〜Ｆ２２等を連結したときに、支柱Ｆ１１〜Ｆ２２等の直径がボールジョイントＢ１１の外径よりも大きくならないように構成されている。なお、このため、例えば、ボールジョイントＢ１１の嵌合孔ｈ１１と支柱Ｆ１１の嵌合ピンｐ１１を嵌合することで、耐震構造体Ｓ１を組み立てる。また、例えば、ボールジョイントＢ１１の嵌合孔ｈ１１から支柱Ｆ１１の嵌合ピンｐ１１を引き抜くことで、耐震構造体Ｓ１を分解することができる。
【００３０】
ここで、本実施の形態では、接点（ボールジョイントＢ１１等）の総数は、１０個であるが、上記共通のボールを有しない側面に配される２個のボールジョイントＢ２１，Ｂ２２を除いたもので構成することも可能である。四角錐の場合は、底面部は三角形状のフレームとはならないが、複数組の四角錐の組み合わせＡ１，Ａ２で、トラス構造を実現できる。また四角錐の数は、２個以上で構成することも可能である。また、上記共通のボールを有しない側面に配される２個のボールジョイントＢ２１，Ｂ２２を配置した場合でも、底面は、図１のように三角形状のフレームＦａ，Ｆｂ，Ｆｃで構成されるものが好ましい。底面が三角形状のフレームＦａ，Ｆｂ，Ｆｃにより構成されることにより、底面に伝達してくる外力に対しても強い構造になるからである。そして、上記ボールジョイントＢ２１と一方の頂点Ｂ４１とを支柱Ｆ２１により接続し、上記ボールジョイントＢ２２と他方の頂点Ｂ４２とを支柱Ｆ２２により接続することが更に好ましい。横方向の外力Ａａ，Ａｂに対しても強い構造になり、耐震強度が高い耐震構造体が得られるからである。なお、四角錐の共通の２個のボールＢ３１とＢ３２との中間には、接合部（接点）も支柱も配されていないが、二個の頂点Ｂ４１，Ｂ４２は連結されていること、全体にかかる外力として最も問題となる横方向の外力は、方向Ａａ，Ａｂの外力であることによる。すなわち、図１のような構成とすると、底面の構造も、横方からの外力Ａａ，Ａｂに対しても強い構造になる。
【００３１】
図３は、別の実施の形態の耐震構造体Ｓ２の接合部の斜視図である。図４は、耐震構造体Ｓ２の接合部の分解斜視図である。支柱Ｆ２１の両端には、これとは別部材の嵌合ピンｐ２１を有するカバー体ｃ２１が着脱可能に取り付けられている。嵌合ピンｐ２１は、支柱Ｆ２１の直径よりも細く形成しており、ボールジョイントＢ２１の嵌合孔ｈ２１の直径を嵌合ピンｐ２１のサイズに合わせて小さく形成出来るので、嵌合孔ｈ２１と嵌合ピンｐ２１とが嵌合し易いものとなっている。
【００３２】
図５は、更に別の実施の形態の耐震構造体Ｓ３の接合部の斜視図である。図６は、耐震構造体Ｓ３の接合部の分解斜視図である。支柱Ｆ３１の両端は雄ねじｐ３１，ｐ３１が加工されており、ボールジョイントＢ３１には雌ねじｈ３１が加工されているため、支柱Ｆ３１をボールジョイントＢ３１にねじ込むことで、容易にボールジョイントＢ３１と支柱Ｆ３１とを接合することができる。ここで、支柱Ｆ３１の両端にある雄ねじｐ３１，ｐ３１は、右回転ねじでも良いし左回転ねじでも良いが、支柱Ｆ３１の両端を同時に２個のボールジョイントに取り付けたり、同時に取り外したりする場合には、支柱Ｆ３１の片方が右回転ねじの場合は、反対側が左回転ねじのほうが好ましい。
【００３３】
図１３は、耐震構造体Ｓ８の接合部の分解斜視図である。支柱Ｆ３１の両端は雌ねじｈ１１，ｈ１１が加工されており、ボールジョイントＢ３１には雄ねじｐ１１が設けられているため、支柱Ｆ１１をボールジョイントＢ３１にねじ込むことで、容易にボールジョイントＢ３１と支柱Ｆ１１とを接合することができる。ここで、支柱Ｆ１１の両端にある雌ねじｈ１１，ｈ１１は、右回転ねじでも良いし左回転ねじでも良いが、支柱Ｆ３１の両端を同時に２個のボールジョイントに取り付けたり、同時に取り外したりする場合には、支柱Ｆ３１の片方が右回転ねじの場合は、反対側が左回転ねじのほうが好ましい。また、ボールジョイントＢ３１と雄ねじｐ１１は、一体成型しても良いし、ボールジョイントＢ３１に予め雌ねじを加工した後、雄ねじｐ１１をねじ込んでも良い。例えば、雄ねじｐ１１をボールジョイントＢ３１に右回転でねじ込む場合は、支柱Ｆ３１へは左回転でねじ込むことにより、ボールジョイントＢ３１と支柱Ｆ１１が雄ねじｐ１１で同時に締め付けることができる。
【００３４】
図７は、別の構造の支柱Ｆ４１の分解斜視図である。支柱Ｆ４１は、両端に突起部ｔ４１を備える中心軸Ｌ４１の両端にばねｗ４１を取り付け、ボールジョイントＢ４１の嵌合孔ｈ４１に対応する嵌合ピンｐ４１を備えるカバーｃ４１を取り付ける構成である。このため、支柱Ｆ４１の両側は、ばねｗ４１により伸縮自在となり、例えば、ボールジョイントＢ４１と支柱Ｆ４１の組み立ての際、すでに他の支柱Ｆ４２等がボールジョイントＢ４１に接続されている場合でも、支柱Ｆ４１の全長を縮ませることで、支柱Ｆ４１とボールジョイントＢ４１の組み立てが容易となり、組み立て後は、支柱４１の全長が元にもどることとなる。
【００３５】
図８は、別の構造の耐震構造体Ｓ５の側面図である。支柱Ｆ５１は、第１と第２の支柱Ｌ５１，Ｌ５２が継ぎ手ｋ５０により連結されるものであり、両端に雌ねじｑ５１，ｑ５２を備える継ぎ手ｋ５０を第１と第２の支柱Ｌ５１，Ｌ５２の片側に設けた雄ねじｑ５１，ｑ５２により接続され、第１と第２の支柱Ｌ５１，Ｌ５２の他方には、ボールジョイントＢ５１，Ｂ５２に備わる雌ねじｈ５１，ｈ５２と対応する雄ねじｐ５１，ｐ５２が備わっている。このため、継ぎ手ｋ５０への雄ねじｑ５１，ｑ５２のねじ込み量を調整することで、支柱Ｆ５１の全体長さを調整できる。また、耐震構造体Ｓ５の全体の大きさを雄ねじｑ５１，ｑ５２の長さの範囲内で調整できる。なお、ここでは、継ぎ手ｋ５０には雌ねじｈ５１が備わっており、中心軸Ｌ５１には雄ねじｐ５１が備わっているとしたが、継ぎ手ｋ５０に雄ねじｐ５１が備わっており、中心軸Ｌ５１に雌ねじｈ５１が備わっている組み合わせでも同様の効果が得られる。
【００３６】
図９は、耐震構造体Ｓ６のボールジョイントＢ６１にキャスターＣＡ６１を付ける構成のキャスター取り付け図である。キャスターＣＡ６１とボールジョイントＢ６１は、ねじ込み式で取り付けても良いし、嵌合式で取り付けても良い。キャスターＣＡは、耐震構造体Ｓ６の下側に６個ないし８個取り付ける。キャスターＣＡは、車輪でも良いし、球体でも良い。
【００３７】
図１０は、耐震構造体Ｓ７に、４箇所のスライド式開閉戸ｄｓ１，ｄｓ２，ｄｓ３，ｄｓ４と、４箇所の嵌め込み式パネルｄｘ１，ｄｘ２，ｄｘ３，ｄｘ４と、スライドレールＲａ１とＲｂ１，Ｒｂ２と、床板Ｆａ１，Ｆａ２を設置した斜視図である。図１１は、図１０の分解斜視図である。４箇所の嵌め込み式パネルｄｘ１，ｄｘ２，ｄｘ３，ｄｘ４と、スライドレールＲａ１，Ｒｂ１，Ｒｂ２は、それぞれ嵌合ピンＰｐを有しており、ボールジョイントＢ１１等の嵌合孔Ｐａに嵌合して接合する。スライド式開閉戸ｄｓと嵌め込み式パネルｄｘと床板Ｆａ１，Ｆａ２には、それぞれ補強用としての外枠Ｆｆが付属する。床としては、上記床板Ｆａ１とＦａ２の２枚を敷いても良い。また、上記床板Ｆａ１とＦａ２の間にヒンジ付きの中継板を取り付け、回転式の折畳み可能なものとして、構造体内部に持ち込み易く、そして広げ易いものとすることが可能である。このように、スライド式開閉戸ｄｓ等と嵌め込み式パネルｄｘ等をボールジョイントＢ１１等に取り付けると、スライド式開閉戸ｄｓ等又は嵌め込み式パネルｄｘ等に加わった衝撃力（外力）は、ボールジョイントＢ１１，Ｂ１２等に伝達し、支柱Ｆ１１，Ｆ１２等に不要な外力（せん断力）が加わる心配がない。
【００３８】
図１２は、耐震構造体Ｓ７の内部に就寝具としての布団Ｓｈを設置した透視図である。就寝者は、スライド式開閉戸ｄｓ１をスライドさせて、開けた入り口から耐震構造体Ｓ７の内部に入り、スライド式開閉戸ｄｓ１をスライドさせて入り口を閉めて、就寝する。図１２では、就寝具として布団Ｓｈを耐震構造体Ｓ７に設置したが、床Ｆａ１，Ｆａ２を外して、ベッドを耐震構造体Ｓ７に設置しても良い。
【００３９】
上述した耐震構造体は、ピラミッド状に枠を組み、四角錐の骨組みＡ１，Ａ２を横に並べ、前記四角錐の頂点Ｂ４１，Ｂ４２を連結した連結ピラミッド型構造となっており（図１）、耐震構造体としての機能に加え、デザイン上の美観を兼ね備える。特に、四角錐の下方の四隅Ｂ１１，Ｂ１２，Ｂ１３，Ｂ１４の間にＢ２１，Ｂ２２が配されるので、２組の四角錐の骨組みＡ１，Ａ２の組み合わせであっても、その底面側も三角形のフレームの構成Ｆａ，Ｆｂ，Ｆｃとなり、トラス構造となり（図１）、横方向等（図１の符号Ａａ，Ａｂ参照）から受ける外力に対しても強い構造になる。したがって、耐震構造体Ｓ１〜Ｓ７の内部で就寝すると、阪神・淡路大地震のような地震が発生して、家の倒壊等が生じた際、就寝者の生存率を高めることができる。また、図１２に示す例では、地震等により物が落下しても、スライド式開閉戸ｄｓ１等と嵌め込み式パネルｄｘ１等により、就寝者に落下物が当たる事態を防止することができる。また、支柱Ｆ１〜Ｆ２４等の直径よりも上記ボールジョイントＢ１１等の外径の方が大きなものが使用されている等から、スライド式開閉戸又は嵌め込み式パネルに加わった衝撃力は、ボールジョイントＢ１１等に伝達し、ボールジョイントＢ１１等が、その衝撃力を骨組み全体に分散させることができ、支柱Ｆ１〜Ｆ２４等に不要な外力（せん断力、又は集中荷重、若しくは等分布荷重）が加わる心配がない。なお、耐震構造体Ｓ１〜Ｓ８は、上記接合手段ｈ１１，ｐ１１等により分解が可能であるから、その運搬や収納も容易に行うことができる。
【００４０】
以上、本発明は、上述した実施の形態に限定されるものではない。例えば、上述した実施の形態では、上記耐震構造体は、床に設置するものとして説明したが、床と上記耐震構造体との間に、高さ調整可能なジャッキ式の台、或いは高さ調整可能なスプリング式の台等を入れて、就寝しやすい高さに調整することも可能である。
【００４１】
また、本発明は、建築物にも適用可能である。すなわち、建築構造物としても強度の高いトラス構造を提供することができる。そして、上述した耐震構造体は、就寝用シェルターや建築構造物（展示用のオブジェクト等を含む）の用途以外にも、様々な応用ができる。例えば、連結ピラミッド状構造の耐震構造体の中で瞑想をすると精神集中ができ記憶力が上がるなどの二次的効果等も期待でき、デザイン性にも優れている。また、防犯用として使用したり（就寝中に家に侵入された場合の侵入者に対する護身用等）や、緊急用の避難テントとしても使用可能である。このように、本発明は、その趣旨を逸脱しない範囲で適宜変更が可能であることは言うまでもない。
【図面の簡単な説明】
【００４２】
【図１】本発明の一実施の形態として示す耐震構造体の斜視図である。
【図２】上記耐震構造体の接合部の分解斜視図である。
【図３】本発明の他の実施の形態として示す耐震構造体の接合部の斜視図である。
【図４】上記耐震構造体の接合部の分解斜視図である。
【図５】本発明の他の実施の形態として示す耐震構造体の接合部の斜視図である。
【図６】上記耐震構造体の接合部の分解斜視図である。
【図７】本発明の他の実施の形態として示す支柱の分解斜視図である。
【図８】本発明の他の実施の形態として示す耐震構造体の側面図である。
【図９】本発明の他の実施の形態として示す耐震構造体のキャスター取り付け図である。
【図１０】本発明の他の実施の形態として示す耐震構造体の斜視図である。
【図１１】本発明の他の実施の形態として示す耐震構造体の分解斜視図である。側面図である。
【図１２】本発明の他の実施の形態として示す耐震構造体の透視図である。
【図１３】本発明の他の実施の形態として示す耐震構造体の接合部の分解斜視図である。
【符号の説明】
【００４３】
Ｓ１，Ｓ３，Ｓ５，Ｓ６，Ｓ７，Ｓ８    耐震構造体、
Ｂ１１，Ｂ１２，Ｂ１３，Ｂ１４        ボールジョイント、
Ｂ３１，Ｂ３２                        四角錐の共通のボール（ボールジョイント）、
Ｂ２１，Ｂ２２                        四角錐の共通のボールを有しない側面に配さ
れる２個のボールジョイント、
Ｂ４１，Ｂ４２                        四角錐の頂点のボールジョイント、
Ｆ１１〜Ｆ６１                        支柱、
Ｆａ，Ｆｂ，Ｆｃ                      （底面側の）三角形状のフレーム、
Ａ１，Ａ２                            四角錐の骨組み、
ｈ１１，ｈ２１，ｈ３１                嵌合孔（雌ねじ、接合手段）、
ｐ１１，ｐ２１，ｐ３１                嵌合ピン（雄ねじ、接合手段）、
ｗ４１                                ばね、
ｋ５０                                継ぎ手、
ＣＡ６１                              キャスター、
ｄｓ１，ｄｓ２，ｄｓ３，ｄｓ４        スライド式開閉戸、
Ｒａ１，Ｒｂ１，Ｒｂ２                スライドレール、
ｄｘ１，ｄｘ２，ｄｘ３，ｄｘ４        嵌め込み式パネル、
Ｓｈ                                  布団
【図１】
2008095461.tif 000003
【図２】
2008095461.tif 000004
【図３】
2008095461.tif 000005
【図４】
2008095461.tif 000006
【図５】
2008095461.tif 000007
【図６】
2008095461.tif 000008
【図７】
2008095461.tif 000009
【図８】
2008095461.tif 000010
【図９】
2008095461.tif 000011
【図１０】
2008095461.tif 000012
【図１１】
2008095461.tif 000013
【図１２】
2008095461.tif 000014
【図１３】
2008095461.tif 000015